【事件の表示】
　特許第２８２６２２４号「マイクロストリップアンテナ」の請求項１に係る特許に対する特許異議の申立てについて、次のとおり決定する。
【結論】
　訂正を認める。
　特許第２８２６２２４号の請求項１ないし２に係る特許を維持する。
【理由】
１．手続の経緯および要点
　本件特許２８２６２２４号は、平成３年１１月２６日特許権者（出願人）シャープ株式会社により特願平３−３３７６５１号として特許出願され、平成１０年９月１１日に特許の設定登録がされた。その後特許異議申立人株式会社村田製作所より特許異議の申立てがなされ、さらに当審において、平成１１年７月２８日付けで取消理由を通知した。
　特許異議申立人の主張の要点は、本件特許の請求項１の発明は、出願の日前の他の出願であって、本件特許の出願後に出願公開された、特願平３−１９０１６６号（特開平５−３７２２７号）の願書に最初に添付された明細書又は図面に記載された発明（以下、他の出願の発明という。）と同一であり、しかも本件特許発明の発明者が他の出願の発明の発明者と同一であるとも、また本件特許の出願の時その出願人が他の出願の出願人と同一であったとも認められないので、特許法第２９条の２の規定に違反して特許されたから、本件特許は取り消されるべきである、というにある。
　当審が通知した取消理由は、前記特許異議申立人の主張と同趣旨である（前記他の出願の明細書および図面とともに、当技術分野の周知技術として、特開昭６１−４１２０５号公報、特開昭５８ー２１５８０７号公報および特開平２ー４８８０３号公報を併せて引用した。）。
　特許権者は、取消理由通知で指定した期間内である平成１１年１０月６日に異議意見書を提出するとともに、同日特許明細書の訂正を請求した。
２．訂正の適否の検討および判断
（１）訂正の要旨
　特許権者が求めた訂正の内容は、以下のａ、ｂである：
ａ．特許明細書の特許請求の範囲【請求項１】中「導体両端に切込みを形成し、前記共振モード」を「導体両端に切込みを形成し、該切込みが導体内部に向かう第１の切込み及び該第１の切込みとは異なる方向に成された少なくとも１つの第２の切込みが一体となって形成された切込みであって、前記共振モード」と訂正する。これに伴い、特許明細書の【０００６】【００２１】各欄における「導体両端に切込みを形成し、前記共振モード」を「導体両端に切込みを形成し、該切込みが導体内部に向かう第１の切込み及び該第１の切込みとは異なる方向に成された少なくとも１つの第２の切込みが一体となって形成された切込みであって、前記共振モード」と、それぞれ訂正する。
ｂ．特許請求の範囲の【請求項２】を「誘電体基板の一方の表面に接地電位を与えるための地板を形成し、他方の表面にアンテナ素子となる導体を形成し該誘電体基板の表面に設けられた単一の給電部から給電する一点給電円偏波マイクロストリップアンテナにおいて、表面に前記導体を形成した誘電体基板は、誘電率の異なる材料の層が積層された多層基板からなり、上記導体の中心から偏位した位置に給電点を設け、縮退分離素子により互いに直交し位相の異なる２つの共振モード方向に対し±４５度で直交する直線方向の導体両端に切込みを形成し、前記共振モード方向に対し±４５度で直交する直線のいずれかと前記給電点の偏位方向とが一致する。」と訂正する。これに伴い、明細書【０００６】欄における「一致する。」の記載を「一致する。さらに、誘電体基板の一方の表面に接地電位を与えるための地板を形成し、他方の表面にアンテナ素子となる導体を形成し該誘電体基板の表面に設けられた単一の給電部から給電する一点給電円偏波マイクロストリップアンテナにおいて、表面に前記導体を形成した誘電体基板は、誘電率の異なる材料の層が積層された多層基板からなり、上記導体の中心から偏位した位置に給電点を設け、縮退分離素子により互いに直交し位相の異なる２つの共振モード方向に対し±４５度で直交する直線方向の導体両端に切込みを形成し、前記共振モード方向に対し±４５度で直交する直線のいずれかと前記給電点の偏位方向とが一致する。」と訂正する。
（２）訂正の適否の検討
　本件訂正が特許法第１２０条の４第２項及び同条第３項で準用する同法第１２６条第２項ならびに同条第３項の規定（訂正の目的の適否、新規事項の有無及び拡張変更の存否の要件）に適合するか検討する。
　前記ａの訂正は、特許明細書に記載された事項の範囲内において、構成の一部である「導体両端の切込み」の形状をより具体的に限定する訂正と認められ、特許請求の範囲の減縮を目的とするものである。そして、本件特許の出願の際、願書に添付された明細書の【００１１】欄「各切れ込みは、切れ込みで区切られた領域での導体パッチ１の電流経路を長くするために、切れ込み周囲を利用した形状に更に第２切れ込み１０Ａ、１０Ｂが形成され、図２に示すように迂回した導体パターン６Ａ、６Ｂ及び７Ａ、７Ｂを生成している。」、【００１３】欄「第１切れ込み９Ａ、９Ｂが、更に各切れ込み領域内に第２切れ込み１０Ａ、１０Ｂが形成されている」、【００１４】欄「導体パッチ１に更に付加する第２、第３としての切れ込みによって形成される導体パターンは、隣接する導体パターンと接触しない限り、電気長を長く採ることができる。」、【００１５】欄「連続する導体パターンは必ずしも直交する必要はなく、任意の角度で接触された関係にあれば共振周波数を下げる効果を奏する。」等の記載および図面（図１〜４）の観察により、新規事項の追加は認められず、また、実質上特許請求の範囲を拡張し、又は変更するものではない。
　前記ｂの訂正は、取消理由を通知していない請求項２および発明の詳細な説明各欄の記載において、請求項１欄の記載の前記ａの訂正に伴う文言上の不明瞭を生じさせないことを目的とする訂正と認められ、明細書の文言の意味内容を変更し又は新たな意味内容を追加するものではないから、新規事項の追加に該当せず、また、実質上特許請求の範囲を拡張し、又は変更するものでもない。
　次に、本件訂正が特許法第１２０条の４第３項で準用する同法第１２６条第４項の規定（いわゆる独立特許要件）に適合するか検討する。
　訂正を請求された特許明細書の特許請求の範囲請求項１に係る発明（訂正請求後の本件発明１という。）の要旨は、特許権者が提出した全文訂正明細書の特許請求の範囲請求項１欄に記載された次のとおりと認める：
「誘電体基板の一方の表面に接地電位を与えるための地板を形成し、他方の表面にアンテナ素子となる導体を形成し該誘電体基板の表面に設けられた単一の給電部から給電する一点給電円偏波マイクロストリップアンテナにおいて、上記導体の中心から偏位した位置に給電点を設け、縮退分離素子により互いに直交し位相の異なる２つの共振モード方向に対し±４５度で直交する直線方向の導体両端に切込みを形成し、該切込みが導体内部に向かう第１の切込み及び該第１の切込みとは異なる方向に成された少なくとも１つの第２の切込みが一体となって形成された切込みであって、前記共振モード方向に対し±４５度で直交する直線のいずれかと前記給電点の偏位方向とが一致することを特徴とするマイクロストリップアンテナ」。
　これに対し、当審が取消理由において引用した前記他の出願の明細書および図面に記載された他の出願の発明の要旨は、次のとおり認められる：
「誘電体基板４の一方の表面に接地電位を与えるための地板３を形成し、他方の表面にアンテナ素子となる導体２を形成し該誘電体基板の表面に設けられた単一の給電部５から給電する一点給電円偏波マイクロストリップアンテナにおいて、上記導体の中心Ｏから偏位した位置に給電点Ｐを設け、縮退分離素子２３が互いに直交する方向に対しほぼ±４５度で直交する直線方向の導体両端に切込み２２、２４を形成し、前記縮退分離素子２３が互いに直交する方向に対し±４５度で直交する直線と前記給電点Ｐの偏位方向とが一致するマイクロストリップアンテナ」（構成部分の各名称は本件特許の明細書又は同全文訂正明細書の技術用語により表現し、符号は他の出願の明細書及び図面に記載されたとおりとした。）。
　訂正請求後の本件発明１（前者）と他の出願の発明（後者）とを比較すると、前者は、本件訂正の請求によって限定される「導体内部に向かう第１の切込み及び該第１の切込みとは異なる方向に成された少なくとも１つの第２の切込みが一体となって形成された切込み」を構成として有することにより、本件特許明細書（主として【００２１】欄）に記載されたとおり「共振周波数を下げ、同一周波数におけるアンテナ素子寸法を縮小することができ、誘電体基板面を有効に活用した効率的な小型の一点給電円偏波マイクロストリップアンテナを得ることができる」という顕著な目的効果を達成するものと認められ、後者と明らかに相違する。したがって、当審が通知した取消理由によって前者を特許出願の際独立して特許を受けることができないとすることは、妥当でない。
（３）訂正の適否の判断
　以上のとおり、本件訂正の請求は、特許法第１２０条の４第２項及び同条第３項で準用する同法第１２６条第２〜４項の規定に適合するから、本件訂正を認める。
３．特許異議の申立てについての判断
　当審の前記取消理由によって訂正請求後の本件発明１の特許を取り消すことができないことは、既に述べたとおりであるから、前記取消理由と同趣旨である特許異議申立ての理由及び証拠によっても、訂正請求後の本件発明１の特許を取り消すことができない。
　また、他に訂正請求後の本件発明１の特許を取り消すべき理由を発見しない。
　よって、結論のとおり決定する。
【異議決定日】
平成１１年１１月５日（１９９９．１１．５）
【首席審判官】【特許庁審判官】
松野　高尚
【特許庁審判官】
稲葉　慶和
【特許庁審判官】
大塚　良平
（１９０）【発行国】
日本国特許庁（ＪＰ）
（１２）【種別】
特許訂正明細書（Ｈ）
（５１）【国際特許分類第6版】
Ｈ０１Ｑ　１３／０８
【ＦＩ】
Ｈ０１Ｑ　１３／０８
（１１）【特許番号】
特許第２８２６２２４号（Ｐ２８２６２２４）
【異議申立番号】
平成１１年異議第７１９１９号
【異議申立日】
平成１１年５月１３日（１９９９．５．１３）
【異議決定確定日】
平成１１年１２月４日（１９９９．１２．４）
（７０）【訂正請求人】
【氏名又は名称】
シャープ株式会社
【住所又は居所】
大阪府大阪市阿倍野区長池町２２番２２号
（７４０）【代理人】
【弁理士】
【氏名又は名称】
小池　隆彌
（７４０）【代理人】
【弁理士】
【氏名又は名称】
木下　雅晴
【訂正の要旨】
　特許第２８２６２２４号発明の明細書を本件審判請求書に添付された訂正明細書のとおりに、すなわち：
ａ．明細書の特許請求の範囲【請求項１】中の「導体両端に切込みを形成し、前記共振モード」を、特許請求の範囲の減縮を目的として、「導体両端に切込みを形成し、該切込みが導体内部に向かう第１の切込み及び該第１の切込みとは異なる方向に成された少なくとも１つの第２の切込みが一体となって形成された切込みであって、前記共振モード」と訂正する。
ｂ．前記ａに伴い、明細書特許請求の範囲【請求項２】「表面に前記導体を形成した誘電体基板は、誘電率の異なる材料の層が積層された多層基板からなることを特徴とする請求項１に記載のマイクロストリップアンテナ」を、明りょうでない記載の釈明を目的として、「誘電体基板の一方の表面に接地電位を与えるための地板を形成し、他方の表面にアンテナ素子となる導体を形成し該誘電体基板の表面に設けられた単一の給電部から給電する一点給電円偏波マイクロストリップアンテナにおいて、表面に前記導体を形成した誘電体基板は、誘電率の異なる材料の層が積層された多層基板からなり、上記導体の中心から偏位した位置に給電点を設け、縮退分離素子により互いに直交し位相の異なる２つの共振モード方向に対し±４５度で直交する直線方向の導体両端に切込みを形成し、前記共振モード方向に対し±４５度で直交する直線のいずれかと前記給電点の偏位方向とが一致することを特徴とする請求項１に記載のマイクロストリップアンテナ」と訂正する。
ｃ．前記ａに伴い、明細書の【０００６】欄および【００２１】欄における「導体両端に切込みを形成し、前記共振モード」を、明りょうでない記載の釈明を目的として、いずれも「導体両端に切込みを形成し、該切込みが導体内部に向かう第１の切込み及び該第１の切込みとは異なる方向に成された少なくとも１つの第２の切込みが一体となって形成された切込みであって、前記共振モード」と訂正する。
ｄ．前記ａに伴い、明細書【０００６】欄における「一致する。」の記載を、明りょうでない記載の釈明を目的として、「一致する。さらに、誘電体基板の一方の表面に接地電位を与えるための地板を形成し、他方の表面にアンテナ素子となる導体を形成し該誘電体基板の表面に設けられた単一の給電部から給電する一点給電円偏波マイクロストリップアンテナにおいて、表面に前記導体を形成した誘電体基板は、誘電率の異なる材料の層が積層された多層基板からなり、上記導体の中心から偏位した位置に給電点を設け、縮退分離素子により互いに直交し位相の異なる２つの共振モード方向に対し±４５度で直交する直線方向の導体両端に切込みを形成し、前記共振モード方向に対し±４５度で直交する直線のいずれかと前記給電点の偏位方向とが一致する。」と訂正する。
（５４）【発明の名称】
マイクロストリップアンテナ
（５７）【特許請求の範囲】
　【請求項１】　誘電体基板の一方の表面に接地電位を与えるための地板を形成し、他方の表面にアンテナ素子となる導体を形成し該誘電体基板の表面に設けられた単一の給電部から給電する一点給電円偏波マイクロストリップアンテナにおいて、上記導体の中心から偏位した位置に給電点を設け、縮退分離素子により互いに直交し位相の異なる２つの共振モード方向に対し±４５度で直交する直線方向の導体両端に切込みを形成し、
該切込みが導体内部に向かう第１の切込み及び該第１の切込みとは異なる方向に成された少なくとも１つの第２の切込みが一体となって形成された切込みであって、
　【請求項２】誘電体基板の一方の表面に接地電位を与えるための地板を形成し、他方の表面にアンテナ素子となる導体を形成し該誘電体基板の表面に設けられた単一の給電部から給電する一点給電円偏波マイクロストリップアンテナにおいて、表面に前記導体を形成した誘電体基板は、誘電率の異なる材料の層が積層された多層基板からなり、上記導体の中心から偏位した位置に給電点を設け、縮退分離素子により互いに直交し位相の異なる２つの共振モード方向に対し±４５度で直交する直線方向の導体両端に切込みを形成し、前記共振モード方向に対し±４５度で直交する直線のいずれかと前記給電点の偏位方向とが一致することを特徴とするマイクロストリップアンテナ。
【発明の詳細な説明】
　【０００１】
　【産業上の利用分野】
　本発明は、移動体衛星通信等に用いられるマイクロストリップアンテナに関する。
　【０００２】
　【従来の技術】
　情報化社会の発達と共に、移動体通信、衛星通信の利用が盛んになり、人工衛星を介して電波を受信することによって移動体の位置速度を検出するＧＰＳ等のナビゲーションシステムが実用化されている。ＧＰＳではＬバンド帯の周波数の電波が使用され、受信アンテナとしてマイクロストリップアンテナ、ヘリカルアンテナ等が実用化されている。
　【０００３】
　図５に従来のマイクロストリップアンテナの一例を示す。同図において、誘電体基板１２上にはエッチングによって導体パッチ１１が形成され、この導体パッチ１１面には更に縮退分離素子１３及び給電点１４が設けられている。更に上記誘電体基板１２の裏面に地板１５を形成することによってマイクロストリップアンテナが構成されている。
　【０００４】
　このような構成からなる従来の一点給電型マイクロストリップアンテナは、給電点１４から給電され、縮退分離素子１３により互いに直交し位相の９０゜異なる２つの共振モードを導体パッチ１１上に生じさせ、円偏波アンテナとして動作させている。
　【０００５】
　【発明が解決しようとする課題】
　マイクロストリップアンテナは、底面に導電性の地板１５を有する誘電体基板１２上に導体パッチ１１を配置したもので、そのパッチの周縁が電気的に開放となる共振素子を形成している。従って方形パッチにおいては、周縁が開放となる１／２波長で共振するため、導体パッチ１１の一辺としては誘電体基板１２上の短縮された波長の約１／２波長と決定されるという欠点があり、小型化が制約されるという問題があった。本発明は上記従来のマイクロストリップアンテナの問題点に鑑みなされたもので、使用周波数に対して実質的に形状を縮小することができるアンテナを提供する。
　【０００６】
　【課題を解決するための手段】
　上記目的を達成するために本発明によるマイクロストリップアンテナでは、誘電体基板の一方の表面に接地電位を与えるための地板を形成し、他方の表面にアンテナ素子となる導体を形成し該誘電体基板の表面に設けられた単一の給電部から給電する一点給電円偏波マイクロストリップアンテナにおいて、上記導体の中心から偏位した位置に給電点を設け、縮退分離素子により互いに直交し位相の異なる２つの共振モード方向に対し±４５度で直交する直線方向の導体両端に切込みを形成し、
該切込みが導体内部に向かう第１の切込み及び該第１の切込みとは異なる方向に成された少なくとも１つの第２の切込みが一体となって形成された切込みであって、
　
さらに、誘電体基板の一方の表面に接地電位を与えるための地板を形成し、他方の表面にアンテナ素子となる導体を形成し該誘電体基板の表面に設けられた単一の給電部から給電する一点給電円偏波マイクロストリップアンテナにおいて、表面に前記導体を形成した誘電体基板は、誘電率の異なる材料の層が積層された多層基板からなり、上記導体の中心から偏位した位置に給電点を設け、縮退分離素子により互いに直交し位相の異なる２つの共振モード方向に対し±４５度で直交する直線方向の導体両端に切込みを形成し、前記共振モード方向に対し±４５度で直交する直線のいずれかと前記給電点の偏位方向とが一致する。
　【０００７】
　【作用】
　本発明のアンテナでは、導体パッチの切れ込みの少なくとも１つが給電点の偏位方向と同じ方向に形成されるため、形状を調整することにより、互いに直交する２つの共振モードの電流分布を変化させ、電気長を等価的に長くして共振周波数を下げることができる。このことにより使用周波数において、実質的にアンテナ素子寸法が短縮する。
　【０００８】
　【実施例】
　図１にこの発明の一実施例を示す。同図において、平板状の誘電体基板２の表面上にはアンテナ素子となる導体パッチ１が配置されている。図１では理解を容易にするため１つの導体パッチ１を示しているが、衛星電波を受信する平面アンテナとしては、このようなアンテナ素子を多数アレイアンテナとして配置した形態で用いることも可能である。
　【０００９】
　上記導体パッチ１は、金属導体をエッチングによって正方形状に成形することによって形成され、一方の表面に導体パッチ１が形成された誘電体基板２の裏面全面には地板３が形成されている。上記導体パッチ１のほぼ中央の位置には、正方形の対角線方向にスロットを刻んで形成した縮退分離素子４が設けられている。
　【００１０】
　ここで本実施例のアンテナ素子においては、給電点５が、導体パッチ１の中心位置から導体パッチの一辺に平行な方向に偏移させた位置に設けられている。尚、偏位方向は本実施例のように導体パッチの辺に平行な方向に限られるものではない。
　【００１１】
　導体パッチ１の対向する２辺には、導体の内部に向かって上記給電点５の偏位方向と平行な方向に第１切れ込み９Ａが形成されている。導体パッチ１の他の対向する２辺については、上記切れ込み９Ａと直交する方向に第１切れ込み９Ｂが形成されている。上記４カ所の各切れ込みは、切れ込みで区切られた領域での導体パッチ１の電流経路を長くするために、切れ込み周囲を利用した形状に更に第２切れ込み１０Ａ、１０Ｂが形成され、図２に示すように迂回した導体パターン６Ａ、６Ｂ及び７Ａ、７Ｂを生成している。
　【００１２】
　上記形状に成型された導体パッチ１を有するマイクロストリップアンテナ素子は、給電点５より給電され、縮退分離素子４により、図２の導体パッチ１の対角線方向を座標系としたｘ軸方向とｙ軸方向に互いに直交する異なる２つの周波数の共振モードを形成し、２つの中間の周波数で円偏波を発生する。発生する円偏波の偏波面は、縮退分離素子４のスロットの向きを調整することによって変えることができる。
　【００１３】
　上記正方形の導体パッチ１において、各辺に第１切れ込み９Ａ、９Ｂが、更に各切れ込み領域内に第２切れ込み１０Ａ、１０Ｂが形成されているため、上記導体パッチ１１に発生した両共振モードに基づく電流は、図２の実線及び破線の矢印で示すように切れ込みの周辺に沿って流れる。即ち、導体形状が単純方形であるのに比べて導体パッチ１の電気長が等価的に長くなり、共振周波数が下がる。このことは、一定周波数を対象にした場合、その周波数での導体パッチ１の寸法が切れ込みを形成していない単純正方形からなるパッチに比べて導体が小さくなることを意味している。図２において、導体パターン６Ａ、７Ａはｙ軸方向のモードの共振周波数を下げることに貢献し、また導体パターン６Ｂ、７Ｂはｘ軸方向のモードの共振周波数を下げる役割を果たしている。
　【００１４】
　導体パッチ１に形成する切れ込み９Ａは、切れ込みの方向を給電点５の偏移方向に平行に採れば任意の形状に設計することができ、また切れ込み深さ、幅においても制約はない。即ち、導体パッチ１に更に付加する第２、第３としての切れ込みによって形成される導体パターンは、隣接する導体パターンと接触しない限り、電気長を長く採ることができる形状であれば任意に形成することができる。
　【００１５】
　切れ込みによって生じる１つの区切られた導体領域に形成する導体パターンは、本実施例のごとく４個である必要はなく、任意でよい。また互いに連続する導体パターンは必ずしも直交する必要はなく、任意の角度で接続された関係にあれば共振周波数を下げる効果を奏する。
　【００１６】
　図３Ａ及びＢは本発明の他の実施例を示し、いずれも給電点５の偏移方向に平行な方向に切れ込み９Ａ、９Ｂが形成されているため、電流が切れ込みの辺に沿って流れることにより電気長が長くなり、共振周波数ｆが下がる。
　【００１７】
　図４は更に他の実施例を示す。この実施例は、誘電体基板２の表面に前記実施例と同様の切れ込みを加工した導体パッチ１を形成するものの、裏面はスペーサ２１によって空気層２２を介して地板２３を積層した構造からなるマイクロストリップアンテナである。
　【００１８】
　通常マイクロストリップアンテナにおいては、誘電体基板の誘電体損を小さくするため、誘電体基板の基板構造として空気層２２を積層した多層構造が採用される。しかし、このような多層基板構造では、等価誘電率が低くなり、Ｌバンド帯ではパッチ寸法が大きくなるという問題があるが、導体パッチとして本実施例のように切れ込みを加工して等価的に電気長を長くした形状とすることにより、アンテナ素子寸法を小型にすることができる。
　【００１９】
　いずれの実施例における導体パッチのパターンでも、給電点５が設けられている中心部分の方形導体領域８の各辺の長さを調整することによって、給電点５の入力インピーダンスのリアクタンス分を調整することができ、アンテナ部分と給電部分との整合が取りやすい。
　【００２０】
　また、上記各実施例のアンテナ素子において、縮退分離素子４は導体パッチの中心に位置する必要はなく、方形導体のコーナーに突起或いは切れ込みを形成し、、互いに直交する異なる２つの共振モードを発生させることもでき、更に縮退分離素子４は必ずしも必要ではなく、この素子４がない導体パッチを直線偏波パッチとしてアンテナ動作させることも可能である。エッチングを施す前の導体の形状は方形である必要はなく、円形とし、これに給電点４と一定の関係を保持する切れ込みを形成してアンテナ素子とすることもできる。
　【００２１】
　【発明の効果】
　以上本発明のように、導体の中心から偏位した位置に給電点を設け、縮退分離素子により互いに直交し位相の異なる２つの共振モード方向に対し±４５度で直交する直線方向の導体両端に切込みを形成し、
該切込みが導体内部に向かう第１の切込み及び該第１の切込みとは異なる方向に成された少なくとも１つの第２の切込みが一体となって形成された切込みであって、
【図面の簡単な説明】
　【図１】
この発明の一実施例を示す斜視図。
　【図２】
同実施例を説明するための平面図。
　【図３】
この発明の他の実施例を示す平面図。
　【図４】
この発明の更に他の実施例を示す斜視図。
　【図５】
従来のマイクロストリップアンテナを示す斜視図。
　【符号の説明】
１　導体パッチ
２　誘電体基板
３　地板
４　縮退分離素子
５　給電点
６Ａ、６Ｂ　導体パターン
７Ａ、７Ｂ　導体パターン
９　第１切れ込み
１０　第２切れ込み